(57)【要約】【課題】光ディスクの形式の判別時間の短縮化が図られた光ディスク装置を実現すること。【解決手段】光源２１から射出され光ディスク２の記録層と略直交する方向と平行な平行光束を光ディスク２に照射させる偏光スプリッタ２３ａ及びミラー２３ｂと、光ディスク２から反射される光束を受光して検出信号を出力する第２光検出器２８及び信号検出部３１と、光ディスク２に平行光束が照射されたときから光ディスク２の記録層から反射される光束の検出信号が出力されるまでの検出時間に含まれる判別時間Δｔに基づいて、光ディスク２の形式を判別する制御部５０と、を備える光ディスク装置１。【選択図】図１
2008102986.tif 000002
【特許請求の範囲】
【請求項１】
光源から射出され光ディスクの記録層と略直交する方向と平行な平行光束を光ディスクに照射させる光学手段と、
前記光ディスクから反射される光束を受光して検出信号を出力する信号検出手段と、
前記光ディスクに前記平行光束が照射されたときから前記信号検出手段により前記光ディスクの記録層から反射される光束の検出信号が出力されるまでの検出時間に含まれる時間に基づいて、前記光ディスクの形式を判別する判別手段と、
を備えること、
を特徴とする光ディスク装置。
【請求項２】
前記判別手段は、
前記検出時間に含まれる時間として前記信号検出手段により前記光ディスクの表面から反射される光束の検出信号が出力されたときから前記光ディスクが有する記録層から反射される光束の検出信号が出力されるまでの時間を計時する計時手段を有し、
前記計時手段により計時された時間に基づいて前記光ディスクの形式を判別すること、
を特徴とする請求項１記載の光ディスク装置。
【請求項３】
前記信号検出手段は、
前記光ディスクから反射される光束を受光して当該受光量に対応する光検出信号を出力する光検出手段と、
前記光検出手段から出力された光検出信号の振幅を前記検出信号として出力する振幅検出手段と、
を有すること、
を特徴とする請求項１又は２記載の光ディスク装置。
【請求項４】
予め定められた複数の閾値を記憶している記憶手段を備え、
前記判別手段は、
前記計時手段により計時された時間と前記記憶手段に記憶されている前記複数の閾値との比較結果に応じて、前記光ディスクの形式を判別すること、
を特徴とする請求項１から３のいずれか一項に記載の光ディスク装置。
【請求項５】
前記判別手段は、
前記光ディスクに前記光束が照射されたときから前記信号検出手段により前記光ディスクの記録層から反射される光束の検出信号が出力されるまでの検出時間に含まれる時間に基づいて、前記光ディスクの有無を判別すること、
を特徴とする請求項１から４のいずれか一項に記載の光ディスク装置。
【発明の詳細な説明】
【技術分野】
【０００１】
本発明は、光ディスク装置に関する。
【背景技術】
【０００２】
近年、ＣＤ（Compact Disk）、ＤＶＤ（Digital Versatile Disk）、ＢＤ（Blu-ray Disc）、等の形式の記憶媒体（以下、光ディスク）が存在しており、これら光ディスクに対しデータを読み出したり書き込んだりする光ディスク装置が開発されている。
【０００３】
この光ディスク装置は、光ディスクに対してデータを読み出したり書き込んだりする際、どのような形式の光ディスクであるかを判別する必要がある。
【０００４】
この光ディスクの形式の判別を行う技術としては、例えば、対物レンズを光ディスクの記録層に近づける又は遠ざけるように移動させながら、複数データの時分割照射を繰り返し、これらの照射による光ディスクからの反射光を検出し、当該検出した反射光により光ディスクの形式を判別する光ディスク装置が開示されている（特許文献１参照）。
【特許文献１】特開２００４−２９５９５２号公報
【発明の開示】
【発明が解決しようとする課題】
【０００５】
しかしながら、上記のような従来の光ディスク装置は、対物レンズにより焦点が合致した記録層からしか検出信号を得ることができないことから、焦点調整が必要となり、また、検出信号が得られるまで対物レンズの位置を移動させなくてはならないため、光ディスクの形式を判別するまでに時間がかかるという問題がある。
【０００６】
本発明の課題は、上記問題に鑑みて、光ディスクの形式の判別時間の短縮化が図られた光ディスク装置を実現することである。
【課題を解決するための手段】
【０００７】
請求項１に記載の発明は、光源から射出され光ディスクの記録層と略直交する方向と平行な平行光束を光ディスクに照射させる光学手段と、前記光ディスクから反射される光束を受光して検出信号を出力する信号検出手段と、前記光ディスクに前記平行光束が照射されたときから前記信号検出手段により前記光ディスクの記録層から反射される光束の検出信号が出力されるまでの検出時間に含まれる時間に基づいて、前記光ディスクの形式を判別する判別手段と、を備える光ディスク装置であること、を特徴としている。
【０００８】
請求項２に記載の発明は、請求項１記載の光ディスク装置において、前記判別手段は、前記検出時間に含まれる時間として前記信号検出手段により前記光ディスクの表面から反射される光束の検出信号が出力されたときから前記光ディスクが有する記録層から反射される光束の検出信号が出力されるまでの時間を計時する計時手段を有し、前記計時手段により計時された時間に基づいて前記光ディスクの形式を判別すること、を特徴としている。
【０００９】
請求項３に記載の発明は、請求項１又は２記載の光ディスク装置において、前記信号検出手段は、前記光ディスクから反射される光束を受光して当該受光量に対応する光検出信号を出力する光検出手段と、前記光検出手段から出力された光検出信号の振幅を前記検出信号として出力する振幅検出手段と、を有することを特徴としている。
【００１０】
請求項４に記載の発明は、請求項１から３のいずれか一項に記載の光ディスク装置において、予め定められた複数の閾値を記憶している記憶手段を備え、前記判別手段は、前記計時手段により計時された時間と前記記憶手段に記憶されている前記複数の閾値との比較結果に応じて、前記光ディスクの形式を判別すること、を特徴としている。
【００１１】
請求項５に記載の発明は、請求項１から４のいずれか一項に記載の光ディスク装置において、前記判別手段は、前記光ディスクに前記光束が照射されたときから前記信号検出手段により前記光ディスクの記録層から反射される光束の検出信号が出力されるまでの検出時間に含まれる時間に基づいて、前記光ディスクの有無を判別すること、を特徴としている。
【発明の効果】
【００１２】
本発明によれば、光ディスク判別中の焦点調整及び対物レンズの位置の移動が不要となり、光ディスクの形式の判別時間の短縮化が図られた光ディスク装置を実現することができる
【００１３】
また、光ディスク２の有無の判別用に新たに特別なセンサやレーザを設ける必要がなく、回路等が不要となり、光ディスク装置１内の部品数の低減及び省コスト化を図ることができる。
【発明を実施するための最良の形態】
【００１４】
以下、図を参照して本発明に係る実施の形態を詳細に説明する。
まず、構成を説明する。
図１に、本実施の形態における光ディスク装置１の概略構成図を示す。
図１に示す光ディスク装置１は、光ディスク２に記憶された映像データや音声データ等のデータを読み出して再生したり、書き込んだりする装置である。
【００１５】
図１に示すように、光ディスク装置１は、ディスク駆動機構部１０、光ピックアップ２０、信号検出部３１、信号生成回路部３２、第１ドライバ３３、第２ドライバ３４、レーザドライバ３５、ＡＰＣ（Auto Power Control）回路部３６、信号処理部４０、制御部５０、記憶部５１、不図示の操作部や表示部等を備えて構成されている。
【００１６】
光ディスク２は、ＣＤ（Compact Disk）、ＤＶＤ（Digital Versatile Disk）、ＢＤ（Blu-ray Disc）等の形式の記憶媒体である。
【００１７】
ディスク駆動機構部１０は、光ディスク２を保持するターンテーブル１１、ターンテーブル１１に保持された光ディスク２を所定の回転速度で回転させるスピンドルモータ１２、スピンドルモータ１２を駆動させるモータドライバ１３を備え、信号処理部４０から出力される制御信号に従って光ディスク２を回転させる。
【００１８】
光ピックアップ２０は、光源２１、第１光学系２２、第２光学系２３、ＦＰＤ（Front Photo Diode）２４、アクチュエータ２５、モータ２６、第１光検出器２７、第２光検出器２８等を備えて構成されている。
【００１９】
光源２１は、レーザ光を発生する半導体レーザダイオードである。当該半導体レーザダイオードは、ＤＶＤレーザダイオードを含む波長の異なる複数のレーザダイオードを備え、光ディスク２の形式に応じて、適宜、レーザ光を発生する半導体レーザダイオードを切り替えられることが好ましい。
【００２０】
第１光学系２２は、主に、光ディスク２にデータを書き込んで信号面を記録層に形成する場合、又は、信号面に書き込まれているデータを読み込む場合に用いられ、光源２１から射出された光束をコリメータレンズ２２ａにより平行光束とし、偏光ビームスプリッタ２２ｂ、２３ａ、２２ｃ、１／４波長板２２ｄ、リレーレンズ２２ｅを介して対物レンズ２２ｆに平行光束を導き、対物レンズ２２ｆにより光源２１から射出された光束を光ディスク２の記録層に集光させると共に、光ディスク２の記録層から反射された反射光束を対物レンズ２２ｆにより集光させ、リレーレンズ２２ｅ、１／４波長板２２ｄ、偏光ビームスプリッタ２２ｃ、検出レンズ２２ｇを介して対物レンズ２２ｆが集光した反射光束を第１光検出器２７に導く。
【００２１】
第２光学系２３は、光ディスク２の形式を判別する際に用いられる光学手段であり、光源２１から射出された光束がコリメータレンズ２２ａにより平行光束とされた後、偏光ビームスプリッタ２２ｂ、２３ａ、ミラー２３ｂを介して、光ディスク２の表面側に光源２１から射出された光束を光ディスク２の記録層と略直交する方向と平行な光束（平行光束）を導くと共に、光ディスク２から反射された反射光束をミラー２３ｂ、偏光ビームスプリッタ２３ａ、検出レンズ２３ｃを介して反射光束を第２光検出器２８に導く光学手段としての機能を実現する。
【００２２】
ＦＰＤ２４は、光源２１から射出された光束がコリメータレンズ２２ａにより平行光束とされた後、偏光ビームスプリッタ２２ｂ、検出レンズ２２ｈを介して導かれた光束を受光して電気信号に変換し、変換した当該電気信号をＡＰＣ回路部３６に出力する。
【００２３】
アクチュエータ２５は、対物レンズ２２ｆを光ディスク２の記録層と垂直な方向に移動させて光ディスク２の記録層に集光される光束の焦点を調整（フォーカシング）したり、対物レンズ２２ｆを光ディスク２の半径方向に移動させて光ディスク２のトラックに集光された光束を照射させるトラッキング調整を行ったりする。
【００２４】
モータ２６は、リレーレンズ２２ｅを光ディスク２の記録層と垂直な方向に移動させて、対物レンズ２２ｆの焦点を調整する。
【００２５】
第１光検出器２７は、光ディスク２の記録層から反射される光束を対物レンズ２２ｆが集光した反射光束を受光して、当該反射光束の受光量に応じた電気信号を出力する。
【００２６】
第２光検出器２８は、光ディスク２から反射される反射光束を受光して、当該反射光束の受光量に応じた電気信号を光検出信号として出力する光検出手段としての機能を実現する。
【００２７】
信号検出部３１は、第２光検出器２８から出力された光検出信号をＩ／Ｖ変換して電圧信号に変換し、変換された電圧信号の振幅を検出信号として出力する振幅検出手段としての機能を実現する。
【００２８】
このように、第２光検出器２８及び信号検出部３１により、光ディスク２から反射される光束を受光して検出信号を出力検出する信号検出手段が実現される。
【００２９】
信号生成回路部３２は、第１光検出器２７から入力される信号に基づいてサーボ機構系に用いられる信号の生成と、データ系の信号の生成とを行う。サーボ機構系の信号の生成は、第１光検出器２７から入力される信号を処理し、トラッキングエラー信号（ＴＥ信号）、フォーカスエラー信号（ＦＥ信号）等を生成する。データ系の信号の生成は、第１光検出器２７から入力される信号に基づいて、光ディスク２の記録層に形成された信号面上のアドレス情報やデータ信号等の記録情報（ＲＦ信号）を生成する。
【００３０】
第１ドライバ３３は、信号処理部４０から入力される制御信号に応じた駆動信号をアクチュエータ２５に出力し、アクチュエータ２５を駆動させる。
【００３１】
第２ドライバ３４は、制御部５０から入力される制御信号に応じた駆動信号をモータ２６に出力し、モータ２６を駆動させる。
【００３２】
レーザドライバ３５は、制御部５０から入力される制御信号及びＡＰＣ回路部３６から入力される信号に基づく駆動信号を光源２１に出力し、光源２１を駆動させる。
【００３３】
ＡＰＣ回路部３６は、ＦＰＤ２４から入力される信号に基づいて光源２１の光量が一定となるようにレーザドライバ３５の駆動信号を調整するための信号を生成し、当該信号をレーザドライバ３５に出力する。
すなわち、光源２１、ＦＰＤ２４、レーザドライバ３５、ＡＰＣ回路部３６により、光源２１の光量を一定にさせるフィードバック回路が構成される。
【００３４】
信号処理部４０は、ＤＳＰ（Digital Signal Processor）等により構成され、信号生成回路部３２から入力されたＲＦ信号を復調して制御部５０に出力したり、当該ＲＦ信号に基づいてスピンドルモータ１２を駆動させるモータドライバ１３の制御信号を生成したり、信号生成回路部３２から入力されたＴＥ信号やＦＥ信号に基づいてアクチュエータ２５を駆動させる第１ドライバ３３に対する制御信号を生成したりする。
【００３５】
制御部５０は、ＣＰＵ（Central Processing Unit）等により構成されており、信号処理部４０、記憶部５１、不図示の操作部や表示部等と電気的に接続されており、記憶部５１内に記憶された各種プログラム、テーブル及びデータ、後述する光ディスク２の形式判別処理プログラム等を記憶部５１内のワークエリアに展開し、これらのプログラム及びデータとの協働により、光ディスク装置１全体を統括的に制御するものである。
【００３６】
本実施の形態における光ディスク２の形式判別処理とは、第２光学系２３により光ディスク２に平行光束が照射されたときから光ディスク２の記録層から反射される平行光束の検出信号が信号検出部３１によって出力されるまでの検出時間に含まれる時間に基づいて、光ディスク２の形式を判別する処理である。
【００３７】
本実施の形態において、検出時間に含まれる時間としては、信号検出部３１により光ディスク２の表面から反射される平行光束の検出信号が出力されたときから光ディスク２が有する記録層から反射される平行光束の検出信号が出力されるまでの時間（以下、判別時間Δｔ）とする。従って、本実施の形態における光ディスク２の形式判別処理では、判別時間Δｔを計時し、計時された判別時間Δｔと、記憶部５１に予め記憶されている複数の閾値（後述する第１閾値Ａ１、第２閾値Ａ２）との比較結果に応じて、光ディスク２の形式を判別する処理である。
即ち、制御部５０は、判別手段及び計時手段としての機能を実現する。
【００３８】
更に、制御部５０は、光ディスク２に平行光束が照射されたときから光ディスク２の記録層から反射される光束の検出信号が信号検出部３１により検出されるまでの検出時間に含まれる判別時間Δｔに基づいて、光ディスク２の有無を判別する。
【００３９】
記憶部５１は、制御部５０により実行される光ディスク２の形式判別処理プログラム、各種プログラム、及びこれらプログラムで使用される各種テーブルや各種データ等が予め記憶されている領域と、当該プログラムや各種テーブルやデータが展開される領域とを有する記録媒体である。記憶部５１は、ＲＯＭ（Read Only Memory）及びＲＡＭ（Random Access Memory）の組み合わせ、又は、磁気的、光学的記録媒体又は半導体等の電気的に消去及び書き換えが可能な不揮発性メモリで構成されており、例えば、ＦｅＲＡＭ（Ferroelectric Random Access Memory）等を挙げることができる。
【００４０】
また、記憶部５１は、予め定められた複数の閾値（後述する第１閾値Ａ１、第２閾値Ａ２）を記憶している記憶手段の機能を実現する。複数の閾値は、記録層の種類の判別、即ち、光ディスク２の形式を判別するための基準となる値である。
【００４１】
本実施の形態においては、複数の閾値として、第１閾値Ａ１と、第１閾値よりも小さい第２閾値Ａ２とを予め記憶部５１が記憶しているものとする。この第１閾値Ａ１及び第２閾値Ａ２は、計時された判別時間Δｔが第１閾値Ａ１よりも大きい場合にはＣＤ層が存在すると判別し、第２閾値Ａ２以上第１閾値Ａ１以下である場合にはＤＶＤ層が存在すると判別し、第２閾値Ａ２よりも小さい場合にはＢＤ層が存在すると判別するための基準である。
【００４２】
図２に、光ディスク２の一部断面拡大イメージ図を示す。
データが読み込み又は書き込まれる信号面が形成される層（記録層）は、光ディスク２の形式毎に光ディスク２の表面からの距離が異なっており、図２（ａ）に、光ディスク２の形式がＣＤである場合の一部断面拡大イメージ図を示し、図２（ｂ）に、光ディスク２の形式がＤＶＤである場合の一部断面拡大イメージ図を示し、図２（ｃ）に、光ディスク２の形式がＢＤである場合の一部断面拡大イメージ図を示す。
【００４３】
図２（ａ）、（ｂ）、（ｃ）に示すように、光ディスク２の形式がＣＤである場合における表面から記録層（以下、ＣＤ層）までの距離ΔｘＣＤは１．２[ｍｍ]、ＤＶＤである場合における表面から記録層（以下、ＤＶＤ層）までの距離ΔｘＤＶＤは０．６[ｍｍ]、ＢＤである場合における表面から記録層（以下、ＢＤ層）までの距離ΔｘＢＤは０．１[ｍｍ]の距離、であることが知られている。
【００４４】
図２（ａ）、（ｂ）、（ｃ）に示すように、ＢＤ層が他の記録層と比べて表面側に最も近い位置に存在しており、ＣＤ層が他の記録層と比べて表面側から最も遠い位置に存在しており、ＤＶＤ層が光ディスク２の厚み方向の略中央の位置に存在しており、光源２１から光ディスク２の表面までの光路長及び表面から第２光検出器２８までの光路長が機械的に一定であることを前提とすると、光源２１から各記録層及び記録層から第２光検出器２８までの光路長は、光ディスク２の形式毎に異なることとなる。
【００４５】
従って、光ディスク２の表面側から光束が照射されたときから各光ディスク２の記録層から反射される光束に基づく検出信号が出力されるまでの検出時間は、光ディスク２の形式毎に異なるのは勿論のこと、検出時間に含まれる信号検出部３１により光ディスク２の表面から反射される平行光束の検出信号が出力されたときから光ディスク２が有する記録層から反射される平行光束の検出信号が出力されるまでの判別時間Δｔも光ディスク２の形式毎に異なる。
即ち、計時される判別時間Δｔは、ＢＤ層、ＤＶＤ層、ＣＤ層の順番で長くなる。
【００４６】
光ディスク２の形式がＣＤである場合における判別時間Δtの理論時間（以下、理論判別時間ΔｔＣＤ）は、平行光束が光ディスク２の表面からＣＤ層に反射して再度表面に戻る時間であり、表面からＣＤ層までの往復距離（２ΔｘＣＤ）を光速ＶＬで除算した値であり、下記の（式１）により求めることができる。なお、光速ＶＬは３×１０８［ｍ／ｓ］とする。
【００４７】
【数１】
2008102986.tif 000003
【００４８】
光ディスク２の形式がＤＶＤである場合における判別時間Δｔの理論時間（以下、理論判別時間ΔｔＤＶＤ）は、平行光束が光ディスク２の表面からＤＶＤ層に反射して再度表面に戻る時間であり、表面からＤＶＤ層までの往復距離（２ΔｘＤＶＤ）を光速度ＶＬで除算した値であり、下記の（式２）により求めることができる。
【００４９】
【数２】
2008102986.tif 000004
【００５０】
光ディスク２の形式がＢＤである場合における判別時間Δｔの理論時間（以下、理論判別時間ΔｔＢＤ）は、平行光束が光ディスク２の表面からＢＤ層に反射して再度表面に戻る時間であり、表面からＢＤ層までの往復距離（２ΔｘＢＤ）を光速度ＶＬで除算した値であり、下記の（式３）により求めることができる。
【００５１】
【数３】
2008102986.tif 000005
【００５２】
このように算出された各光ディスク２の形式の理論時間に基づいて、第１閾値Ａ１及び第２閾値Ａ２を設定することができる。本実施の形態における第１閾値Ａ１は、光ディスク２の形式がＣＤである場合の理論判別時間ΔｔＣＤとＤＶＤである場合の理論判別時間ΔｔＤＶＤの中間値とし、第２閾値Ａ２は、光ディスク２の形式がＤＶＤである場合の理論判別時間ΔｔＤＶＤとＢＤである場合の理論判別時間ΔｔＢＤの中間値とする。
【００５３】
不図示の操作部は、停止キー、再生キー、早戻しキー、早送りキー、ディスク取り出しキー等の各種キーを有する操作パネル等から構成され、利用者の操作入力によって指示された音声データの再生／記録の開始又は停止、光ディスク２の排出、などの指示情報を制御部５０に出力する。
【００５４】
また、不図示の表示部は、ＬＣＤ（Liquid Crystal Display）パネルや有機ＥＬ（Electro Luminescence）素子を用いたＦＰＤ（Flat Panel Display）、ＬＥＤ（Light Emitting Diode）等から構成され、制御部５０の制御により、再生・記録時間、トラック番号、ボリューム等の動作状況や各種設定状況に関する情報を表示する。
【００５５】
次に、本実施の形態の動作を説明する。
図３に、本実施の形態における光ディスク２の形式判別処理のフローチャートを示す。本実施の形態の光ディスク２の形式判別処理は、記憶部５１から読み出されてワーク領域に展開された光ディスク２の形式判別処理プログラム及び閾値、各種データと、制御部５０との協働により光ディスク２の形式判別処理が実行される。
【００５６】
まず、レーザドライバ３５により光源２１であるＤＶＤレーザダイオードが駆動され、ＤＶＤレーザによる照射が開始される（ステップＳ１）。ＤＶＤレーザを照射させることにより、ＤＶＤ層は勿論のこと、ＢＤ層、ＣＤ層からの反射光を検出することができる。
【００５７】
また、ＤＶＤレーザによる照射が開始されると共に、計時が開始される（ステップＳ２）。
【００５８】
光源２１から射出されたＤＶＤレーザの平行光束が光ディスク２に反射し、当該反射光に基づく検出信号が信号検出部３１により出力されたか否かの判別、即ち、光ディスク２から最初に得られる反射光は光ディスク２の表面からの反射光であるため、光ディスク２の表面が検出されたか否かが判別される（ステップＳ３）。
【００５９】
光ディスク２からの反射光に基づく検出信号が信号検出部３１により出力されないと判別された場合、即ち、光ディスク２の表面が検出されないと判別した場合（ステップＳ３；Ｎｏ）、形式判別対象となる光ディスク２がターンテーブル１１に保持されておらず、光ディスク２は光ディスク装置１内に存在しないと判別され（ステップＳ４）、本処理が終了される。このとき、光ディスク２が光ディスク装置１内に存在しない旨を表示部等に表示させ、ユーザに報知することが好ましい。
【００６０】
光ディスク２からの反射光に基づく検出信号が信号検出部３１により出力されたと判別された場合、即ち、光ディスク２の表面が検出されたと判別した場合（ステップ３；Ｙｅｓ）、計時が開始されてから表面が検出されるまでの時間が記憶部１１に記憶される（ステップＳ５）。
【００６１】
更に光ディスク２の表面に達した平行光束が記録層に反射し、当該反射光に基づく検出信号が信号検出部３１により出力されたか否かの判別、即ち、光ディスク２から２番目に得られる反射光は光ディスク２が有する記録層からの反射光であるため、光ディスク２の記録層が検出されたか否かが判別される（ステップＳ６）。
【００６２】
光ディスク２からの反射光に基づく検出信号が信号検出部３１により出力されないと判別した場合、即ち、光ディスク２の記録層が検出されないと判別された場合（ステップＳ６；Ｎｏ）、ステップＳ６に戻る。
【００６３】
光ディスク２からの反射光に基づく検出信号が信号検出部３１により出力されたと判別した場合、即ち、光ディスク２の記録層が検出されたと判別された場合（ステップＳ６；Ｙｅｓ）、計時が開始されてから記録層が検出されるまでの時間が記憶部１１に記憶され（ステップＳ７）、計時が終了される（ステップＳ８）。
【００６４】
計時終了後（ステップＳ８後）、ステップＳ７において記憶された時間からステップＳ５において記憶された時間が減算されることにより、表面が検出されてから記録層が検出されるまでの時間、即ち、判別時間Δｔが算出される（ステップＳ９）。
【００６５】
判別時間Δｔは、第１閾値Ａ１よりも大きいか否かが判別され（ステップＳ１０）、第１閾値Ａ１よりも大きいと判別された場合、即ち、光ディスク２の形式がＣＤである場合の理論判別時間ΔｔＣＤに近いと判別され（ステップＳ１０；Ｙｅｓ）、光ディスク２の形式はＣＤであると判別され、当該判別結果が記憶部５１に記憶され（ステップＳ１１）、本処理は終了される。
【００６６】
判別時間Δｔは、第１閾値Ａ１よりも大きくないと判別された場合（ステップＳ１０；Ｎｏ）、第１閾値Ａ１以下であって第２閾値Ａ２以上であるか否かが判別される（ステップＳ１２）。判別時間Δｔは、第１閾値Ａ１以下であって第２閾値Ａ２以上であると判別された場合、即ち、光ディスク２の形式がＤＶＤである場合の理論判別時間ΔｔＤＶＤに近いと判別され（ステップＳ１２；Ｙｅｓ）、光ディスク２の形式はＤＶＤであると判別され、当該判別結果が記憶部５１に記憶され（ステップＳ１３）、本処理は終了される。
【００６７】
判別時間Δｔは、第１閾値Ａ１以下であって第２閾値Ａ２以上でないと判別された場合（ステップＳ１２；Ｎｏ）、第２閾値Ａ２よりも小さいか否かが判別される（ステップＳ１４）。判別時間Δｔは、第２閾値Ａ２よりも小さいと判別された場合、即ち、光ディスク２の形式がＢＤである場合の理論判別時間ΔｔＢＤに近いと判別され（ステップＳ１４；Ｙｅｓ）、光ディスク２の形式はＢＤであると判別され、当該判別結果が記憶部５１に記憶され（ステップＳ１５）、本処理は終了される。
【００６８】
判別時間Δｔは、第２閾値Ａ２よりも小さくないと判別された場合（ステップＳ１４；Ｎｏ）、光ディスク２の形式の判別は不能であると判別され、当該判別結果が記憶部５１に記憶され（ステップＳ１６）、本処理は終了される。
【００６９】
以上のように、本実施形態によれば、光ディスク２に平行光束が照射されたときから光ディスク２の記録層から反射される光束の検出信号が出力されるまでの検出時間に含まれる判別時間Δｔに基づいて、光ディスク２の形式を判別することができるため、光ディスク２の判別を行うために焦点調整及び対物レンズ２２ｆの位置の移動を行う必要がなくなり、光ディスク２の形式の判別時間の短縮化が図られた光ディスク装置１を実現することができる。
【００７０】
また、判別時間Δｔに基づいて光ディスク２の有無の判別を行うことができるため、光ディスク２の有無の判別用に新たに特別なセンサやレーザを設ける必要がなく、回路等が不要となり、光ディスク装置１内の部品数の低減及び省コスト化を図ることができる。
【００７１】
なお、本実施の形態では、光源２１から射出され光ディスク２の記録層と略直交する方向と平行な平行光束を光ディスク２に照射させる光学手段として、第２光学系２３を挙げて説明したが、偏光ビームスプリッタ２３ａ及び検出レンズ２３ｃを省略し、ミラー２３ｂの位置を偏光ビームスプリッタ２２ｃからの光束を光ディスク２の表面側に導く位置に配置し、光源２１から射出された光束がコリメータレンズ２２ａにより平行光束とされた後、偏光ビームスプリッタ２２ｂ、２２ｃ、ミラー２３ｂを介して、光ディスク２の表面側に光源２１から射出された光束を光ディスク２の記録層と略直交する方向と平行な光束（平行光束）を導くと共に、光ディスク２から反射された反射光束をミラー２３ｂ、偏光ビームスプリッタ２２ｃ、検出レンズ２２ｇを介して反射光束を第１光検出器２７導いて光学手段を実現させても同様の効果が得られる。この場合、第１光検出器２７から入力される信号に基づいて信号生成回路部３２が生成するＲＦ信号、ＴＥ信号、ＦＥ信号のいずれかの信号振幅を検出信号として用いて、光ディスク２の形式を判別することができ、第１光検出器２７及び信号生成回路部３２が信号検出手段となる。
【図面の簡単な説明】
【００７２】
【図１】本実施の形態における光ディスク装置１の概略構成図である。
【図２】光ディスク２の一部断面拡大イメージ図である。
【図３】本実施の形態における光ディスク２の形式判別処理のフローチャートである。
【符号の説明】
【００７３】
１  光ディスク装置
２  光ディスク
１０  ディスク駆動機構部
１１  ターンテーブル
１２  スピンドルモータ
１３  モータドライバ
２０  光ピックアップ
２１  光源
２２  第１光学系
２２ａ  コリメータレンズ
２２ｂ  偏光ビームスプリッタ
２２ｃ  偏光ビームスプリッタ
２２ｄ  １／４波長板
２２ｅ  リレーレンズ
２２ｆ  対物レンズ
２２ｇ  検出レンズ
２２ｈ  検出レンズ
２３  第２光学系
２３ａ  偏光ビームスプリッタ
２３ｂ  ミラー
２３ｃ  検出レンズ
２４  ＦＰＤ
２５  アクチュエータ
２６  モータ
２７  第１光検出器
２８  第２光検出器
３１  信号検出部
３２  信号生成回路部
３３  第１ドライバ
３４  第２ドライバ
３５  レーザドライバ
３６  ＡＰＣ回路部
４０  信号処理部
５０  制御部
５１  記憶部
【図１】
2008102986.tif 000006
【図２】
2008102986.tif 000007
【図３】
2008102986.tif 000008